(57)【要約】本発明においては、ペン型の外形をなす指示装置と入出力装置との間で通信を行い、指示装置に記憶している情報を入出力装置に送信して表示すると共に、入出力装置に表示されている情報を指示装置に送信して記憶することができる。したがって、指示装置は、表示装置を備える必要がなく、小型で携帯性に優れる携帯情報端末装置を構成することができる。また、入出力装置は、携帯性を考慮する必要がないことから、小型から大型のものまで、種々の用途に応じた適切な機能の装置として実現することができる。
2003019345.tif 000002
【特許請求の範囲】
【請求項１】
情報を入出力するための入出力面に対する入力操作に応じて、該入出力面に情報を表示する入出力装置と、該入出力面に入力操作を行い、情報を表示させる指示装置とを含む情報処理システムであって、
前記入出力装置は、入出力面に表示している情報を前記指示装置に送信可能であり、
前記指示装置は、前記入出力装置から送信された情報を記憶可能であることを特徴とする情報処理システム。
【請求項２】
前記指示装置は、記憶している情報を前記入出力装置に送信可能であり、前記入出力装置は、送信された情報を前記入出力面に表示可能であることを特徴とする請求の範囲第１項記載の情報処理システム。
【請求項３】
前記指示装置は、前記入出力装置の入出力面に入力操作することにより、該入出力面に表示された情報を選択あるいは編集可能であることを特徴とする請求の範囲第１項または第２項記載の情報処理システム。
【請求項４】
前記指示装置は、前記入出力装置以外の装置からの情報の入力を受け付け可能であることを特徴とする請求の範囲第１項〜第３項のいずれかに記載の情報処理システム。
【請求項５】
前記指示装置と通信可能な表示装置をさらに含み、前記指示装置は、該表示装置に情報を送信し、該表示装置は、前記指示装置から送信された情報を表示することを特徴とする請求の範囲第１項〜第４項のいずれかに記載の情報処理システム。
【請求項６】
前記指示装置は、ペン型であることを特徴とする請求の範囲第１項〜第５項のいずれかに記載の情報処理システム。
【請求項７】
前記入出力装置あるいは前記表示装置は、遍在して所定施設に備えられることを特徴とする請求の範囲第１項〜第６項のいずれかに記載の情報処理システム。
【請求項８】
前記入出力装置は、外部機器とネットワークを介して通信可能であることを特徴とする請求の範囲第１項〜第７項のいずれかに記載の情報処理システム。
【請求項９】
前記入出力装置および前記指示装置の少なくとも一方を複数含み、特定の入出力装置と指示装置との間でのみ接続を可能とさせることを特徴とする請求の範囲第１項〜第８項のいずれかに記載の情報処理システム。
【請求項１０】
情報を入出力するための入出力面に対する入力操作に応じて該入出力面に情報を表示する入出力装置の入出力面に入力操作することにより情報を表示させ、該入出力装置から入出力面に表示している情報を受信して記憶可能であることを特徴とする携帯情報端末装置。
【請求項１１】
記憶している情報を前記入出力装置に送信可能であることを特徴とする請求の範囲第１０項記載の携帯情報端末装置。
【請求項１２】
前記入出力装置の入出力面に入力操作することにより、該入出力面に表示された情報を選択あるいは編集可能であることを特徴とする請求の範囲第１０項または第１１項記載の携帯情報端末装置。
【請求項１３】
前記入出力装置以外の装置からの情報の入力を受け付け可能であることを特徴とする請求の範囲第１０項〜第１２項のいずれかに記載の携帯情報端末装置。
【請求項１４】
前記指示装置と通信可能な表示装置に情報を送信可能であることを特徴とする請求の範囲第１０項〜第１３項のいずれかに記載の携帯情報端末装置。
【請求項１５】
ペン型に構成されたことを特徴とする請求の範囲第１０項〜第１４項のいずれかに記載の携帯情報端末装置。
【請求項１６】
複数の前記入出力装置のうち、特定の入出力装置との間でのみ接続を可能とすることを特徴とする請求の範囲第１０項〜第１５項のいずれかに記載の携帯情報端末装置。
【請求項１７】
情報を入出力するための入出力面に対する入力操作に応じて、該入出力面に情報を表示する入出力装置であって、
前記入出力面に表示している情報を、該入出力面に入力操作を行って情報を表示させる携帯情報端末装置に送信可能であることを特徴とする入出力装置。
【請求項１８】
前記携帯情報端末装置から送信された情報を前記入出力面に表示可能であることを特徴とする請求の範囲第１７項記載の入出力装置。
【請求項１９】
前記携帯情報端末装置によって前記入出力面に入力操作されることにより、該入出力面に表示された情報を選択あるいは編集可能であることを特徴とする請求の範囲第１７項または第１８項記載の入出力装置。
【請求項２０】
外部機器とネットワークを介して通信可能であることを特徴とする請求の範囲第１７項〜第１９項のいずれかに記載の入出力装置。
【請求項２１】
複数の前記携帯情報端末装置のうち、特定の携帯情報端末装置との間でのみ接続を可能とすることを特徴とする請求の範囲第１７項〜第２０項のいずれかに記載の入出力装置。
【請求項２２】
情報を入出力するための入出力面に対する入力操作に応じて該入出力面に情報を表示する入出力装置の入出力面に入力操作することにより情報を表示させ、該入出力装置から入出力面に表示している情報を受信して記憶する携帯情報端末装置と通信可能であり、前記携帯情報端末装置から送信された情報を表示可能であることを特徴とする表示装置。
【請求項２３】
情報を入出力するための入出力面に対する入力操作に応じて、該入出力面に情報を表示する入出力装置と、該入出力面に入力操作を行い、情報を表示させる指示装置とを含む情報処理システムであって、
前記指示装置は、自装置において記憶あるいは生成した情報を前記入出力装置に送信可能であり、
前記入出力装置は、前記指示装置から送信された情報に基づいて、所定情報を表示可能であることを特徴とする情報処理システム。
【請求項２４】
前記指示装置は、前記入出力装置に所定処理を実行させるための制御情報を送信し、前記入出力装置は、該制御情報に基づいて、前記所定処理を実行することを特徴とする請求の範囲第２３項記載の情報処理システム。
【請求項２５】
前記指示装置は、前記入出力装置の入出力面に入力操作することにより、該入出力面に表示された情報を選択あるいは編集可能であることを特徴とする請求の範囲第２３項または第２４項記載の情報処理システム。
【請求項２６】
前記指示装置は、前記入出力装置あるいは外部機器からの情報の入力を受け付け可能であることを特徴とする請求の範囲第２３項〜第２５項のいずれかに記載の情報処理システム。
【請求項２７】
前記指示装置は、ペン型であることを特徴とする請求の範囲第２３項〜第２６項のいずれかに記載の情報処理システム。
【請求項２８】
前記入出力装置あるいは前記表示装置は、遍在して所定施設に備えられることを特徴とする請求の範囲第２３項〜第２７項のいずれかに記載の情報処理システム。
【請求項２９】
前記入出力装置は、外部機器とネットワークを介して通信可能であることを特徴とする請求の範囲第２３項〜第２８項のいずれかに記載の情報処理システム。
【請求項３０】
前記入出力装置および前記指示装置の少なくとも一方を複数含み、特定の入出力装置と指示装置との間でのみ接続を可能とさせることを特徴とする請求の範囲第２３項〜第２９項のいずれかに記載の情報処理システム。
【請求項３１】
情報を入出力するための入出力面に対する入力操作に応じて該入出力面に情報を表示する入出力装置の入出力面に入力操作することにより情報を表示させる携帯情報端末装置であって、自装置において記憶あるいは生成した情報を前記入出力装置に送信することにより、前記入出力装置に所定情報を表示させることを特徴とする携帯情報端末装置。
【請求項３２】
前記入出力装置に所定処理を実行させるための制御情報を送信可能であることを特徴とする請求の範囲第３１項記載の携帯情報端末装置。
【請求項３３】
前記入出力装置の入出力面に入力操作することにより、該入出力面に表示された情報を選択あるいは編集可能であることを特徴とする請求の範囲第３１項または第３２項記載の携帯情報端末装置。
【請求項３４】
前記入出力装置あるいは外部機器からの情報の入力を受け付け可能であることを特徴とする請求の範囲第３１項〜第３３項のいずれかに記載の携帯情報端末装置。
【請求項３５】
ペン型に構成されたことを特徴とする請求の範囲第３１項〜第３４項のいずれかに記載の携帯情報端末装置。
【請求項３６】
複数の前記入出力装置のうち、特定の入出力装置との間でのみ接続を可能とすることを特徴とする請求の範囲第３１項〜第３５項のいずれかに記載の携帯情報端末装置。
【発明の詳細な説明】
技術分野
携帯情報端末を利用した遍在型の情報処理システム、入出力装置、携帯情報端末装置および表示装置に関する。
背景技術
近年、携帯型情報端末装置（以下、適宜「携帯端末」と言う。）が急速に普及し、その小型化、高性能化が著しいものとなっている。携帯端末は、ユーザが常時携帯し、任意の場所で文書作成や、表計算といった情報処理を行うことができる点が最大の利点である。
ここで、従来の携帯端末は、ユーザが情報を入力する入力部と、入力された情報を処理し、装置全体を制御する制御部と、処理結果等の情報を表示する表示部と、情報を記憶しておく記憶部とを含んで構成される。
これら各機能部のうち、表示部以外の各機能部は、携帯端末の小型化に合わせてそれぞれも小型化されると共に、一定の機能を維持するために高性能化が実現されている。
しかしながら、表示部については、携帯端末が小型化した場合にも、ユーザの利用の便宜から一定の大きさを保つ必要があり、一方、表示部をある程度大型化すると、携帯端末自体を小型化できないという事情がある。即ち、携帯端末を小型化した場合、表示部が使いづらいものとなる。したがって、携帯端末の携帯性と利便性とを同時に高めることが困難であるという問題が生じていた。
なお、この問題は、表示部と入力部を兼用する入力パッドといった一部の入力部についても同様であった。
一方、複数の情報処理装置を遍在させて、携帯端末等の情報処理装置を携帯する必要をなくすという発想に基づくシステム（以下、「遍在型情報処理システム」と言う。）がある。遍在型情報処理システムでは、携帯性を考慮する必要がないことから、情報処理装置の表示部等は一定の大きさを確保でき、ユーザにとって使いやすいものであると考えられる。
しかしながら、遍在型情報処理システムのいずれにおいても、ユーザが手軽に利用できる操作性を備えておらず、システム自体の利便性という観点から普及するには至っていないため、一般には、携帯端末を利用するユーザが大半である。
本発明の課題は、携帯情報端末の携帯性を高め、その利便性を向上させることが可能な情報処理システムを構築することである。
発明の開示
本発明による情報処理システムは、情報を入出力するための入出力面（例えば、図１のタブレットユニット２１および表示ユニット２５からなる面）に対する入力操作（例えば、接触による感圧式、光線式等）に応じて、該入出力面に情報を表示する入出力装置（例えば、図１の入出力装置２０）と、該入出力面に入力操作を行い、情報を表示させる指示装置（例えば、図１の指示装置１０）とを含む情報処理システムであって、前記入出力装置は、入出力面に表示している情報を前記指示装置に送信可能であり、前記指示装置は、前記入出力装置から送信された情報を記憶可能であることを特徴とする。
また、前記指示装置は、記憶している情報を前記入出力装置に送信可能であり、前記入出力装置は、送信された情報を前記入出力面に表示可能であることを特徴とする。
また、前記指示装置は、前記入出力装置の入出力面に入力操作することにより、該入出力面に表示された情報を選択あるいは編集可能であることを特徴とする。
また、前記指示装置は、前記入出力装置以外の装置（例えば、パーソナルコンピュータ等）からの情報の入力を受け付け可能であることを特徴とする。
また、本発明による情報処理システムは、前記指示装置と通信可能な表示装置（例えば、発明の詳細な説明中の情報表示装置）をさらに含み、前記指示装置は、該表示装置に情報を送信し、該表示装置は、前記指示装置から送信された情報を表示することを特徴とする。
また、前記指示装置は、ペン型であることを特徴とする。
なお、ここに言う「ペン型」とは、ペン先のような形状を備え、ペンのような操作性を有する形状一般を言うものとする。
また、前記入出力装置あるいは前記表示装置は、遍在して所定施設（例えば、会社内のデスクや会議室、コンビニエンスストア、航空機や電車の座席等）に備えられることを特徴とする。
また、前記入出力装置は、外部機器とネットワークを介して通信可能であることを特徴とする。
また、本発明による情報処理システムは、前記入出力装置および前記指示装置の少なくとも一方を複数含み、特定の入出力装置と指示装置との間でのみ接続を可能とさせることを特徴とする。
本発明による携帯情報端末装置は、情報を入出力するための入出力面に対する入力操作に応じて該入出力面に情報を表示する入出力装置（例えば、図１の入出力装置２０）の入出力面に入力操作することにより情報を表示させ、該入出力装置から入出力面に表示している情報を受信して記憶可能な携帯情報端末装置であることを特徴とする。
また、本発明による携帯情報端末装置は、記憶している情報を前記入出力装置に送信可能であることを特徴とする。
また、本発明による携帯情報端末装置は、前記入出力装置の入出力面に入力操作することにより、該入出力面に表示された情報を選択あるいは編集可能であることを特徴とする。
また、本発明による携帯情報端末装置は、前記入出力装置以外の装置からの情報の入力を受け付け可能であることを特徴とする。
また、本発明による携帯情報端末装置は、前記指示装置と通信可能な表示装置に情報を送信可能であることを特徴とする。
また、本発明による携帯情報端末装置は、ペン型に構成されたことを特徴とする。
また、本発明による携帯情報端末装置は、複数の前記入出力装置のうち、特定の入出力装置との間でのみ接続を可能とすることを特徴とする。
本発明による入出力装置は、情報を入出力するための入出力面に対する入力操作に応じて、該入出力面に情報を表示する入出力装置であって、前記入出力面に表示している情報を、該入出力面に入力操作を行って情報を表示させる携帯情報端末装置（例えば、図１の指示装置１０）に送信可能であることを特徴とする。
また、本発明による入出力装置は、前記携帯情報端末装置から送信された情報を前記入出力面に表示可能であることを特徴とする。
また、本発明による入出力装置は、前記携帯情報端末装置によって前記入出力面に入力操作されることにより、該入出力面に表示された情報を選択あるいは編集可能であることを特徴とする。
また、本発明による入出力装置は、外部機器とネットワークを介して通信可能であることを特徴とする。
また、本発明による入出力装置は、複数の前記携帯情報端末装置のうち、特定の携帯情報端末装置との間でのみ接続を可能とすることを特徴とする。
本発明による表示装置は、情報を入出力するための入出力面に対する入力操作に応じて該入出力面に情報を表示する入出力装置の入出力面に入力操作することにより情報を表示させ、該入出力装置から入出力面に表示している情報を受信して記憶する携帯情報端末装置（例えば、図１の指示装置１０）と通信可能であり、前記携帯情報端末装置から送信された情報を表示可能であることを特徴とする。
本発明による情報処理システムは、情報を入出力するための入出力面に対する入力操作に応じて、該入出力面に情報を表示する入出力装置と、該入出力面に入力操作を行い、情報を表示させる指示装置とを含む情報処理システムであって、前記指示装置は、自装置において記憶あるいは生成した情報を前記入出力装置に送信可能であり、前記入出力装置は、前記指示装置から送信された情報に基づいて、所定情報を表示可能であることを特徴とする。
また、前記指示装置は、前記入出力装置に所定処理を実行させるための制御情報（例えば、所定の処理手順が自己記述されたオブジェクト等）を送信し、前記入出力装置は、該制御情報に基づいて、前記所定処理を実行することを特徴とする。
また、前記指示装置は、前記入出力装置の入出力面に入力操作することにより、該入出力面に表示された情報を選択あるいは編集可能であることを特徴とする。
また、前記指示装置は、前記入出力装置あるいは外部機器からの情報の入力を受け付け可能であることを特徴とする。
また、前記指示装置は、ペン型であることを特徴とする。
また、前記入出力装置あるいは前記表示装置は、遍在して所定施設に備えられることを特徴とする。
また、前記入出力装置は、外部機器とネットワークを介して通信可能であることを特徴とする。
また、本発明による情報処理システムは、前記入出力装置および前記指示装置の少なくとも一方を複数含み、特定の入出力装置と指示装置との間でのみ接続を可能とさせることを特徴とする。
本発明による携帯情報端末装置は、情報を入出力するための入出力面に対する入力操作に応じて該入出力面に情報を表示する入出力装置の入出力面に入力操作することにより情報を表示させる携帯情報端末装置であって、自装置において記憶あるいは生成した情報を前記入出力装置に送信することにより、前記入出力装置に所定情報を表示させることを特徴とする。
また、本発明による携帯情報端末装置は、前記入出力装置に所定処理を実行させるための制御情報を送信可能であることを特徴とする。
また、本発明による携帯情報端末装置は、前記入出力装置の入出力面に入力操作することにより、該入出力面に表示された情報を選択あるいは編集可能であることを特徴とする。
また、本発明による携帯情報端末装置は、前記入出力装置あるいは外部機器からの情報の入力を受け付け可能であることを特徴とする。
また、本発明による携帯情報端末装置は、ペン型に構成されたことを特徴とする。
また、本発明による携帯情報端末装置は、複数の前記入出力装置のうち、特定の入出力装置との間でのみ接続を可能とすることを特徴とする。
本発明により、入出力装置に入力して表示させた情報を指示装置あるいは携帯情報端末装置に送信して記憶することや、指示装置あるいは携帯情報端末装置が記憶あるいは生成した情報を入出力装置に送信して表示させることが可能となる。
また、指示装置あるいは携帯情報端末装置に記憶されている情報を入出力装置に表示した状態で選択あるいは編集することができる。
また、指示装置あるいは携帯情報端末装置に、入出力装置以外の装置から情報を入力でき、指示装置あるいは携帯情報端末装置に記憶させて利用することができる。
また、指示装置あるいは携帯情報端末装置に記憶された情報を表示のみ行う装置を提供できる。
また、指示装置あるいは携帯情報端末装置は小型であるため携帯して容易に持ち運ぶことができ、また、入出力装置に対する入力操作が行い易いものとなる。
また、複数の指示装置と複数の入出力装置を含むシステムを構築し、任意の指示装置と入出力装置との間で情報を送受信して処理することが可能となる。即ち、ユーザは、自らの指示装置を携帯して持ち運ぶことにより、会社内、移動中、街中といった種々の場所で指示装置に記憶している情報を処理することが可能となり、利便性が高い遍在型の情報処理システムを構築することができる。
また、入出力装置は、外部機器と情報の送受信が可能であるため、指示装置あるいは携帯情報端末装置は、入出力装置を介して外部機器との情報の送受信を行うことができる。
また、複数の指示装置あるいは携帯情報端末装置と、複数の入出力装置とを含むシステムにおいて、特定の指示装置あるいは携帯情報端末装置と、特定の入出力装置との間でのみ情報の送受信を可能とすることができるため、情報のセキュリティが向上すると共に、相互の装置を認証する機能を備えることができる。
発明を実施するための最良の形態
以下、図を参照して本発明に係る情報処理システムの実施の形態を詳細に説明する。
まず、構成を説明する。
図１は、情報処理システム１の構成を示す図である。図１において、情報処理システム１は、指示装置１０と、入出力装置２０とを含んで構成される。指示装置１０は、ペン型の外形をなし、ユーザが携帯に便利な形状である。また、入出力装置２０は、小型のタブレットあるいはプレゼンテーション等に用いる大型の装置等であり、ユーザが携帯することや、所定の場所（オフィス、コンビニエンスストア、航空機や電車の座席等）に遍在して据え付けることが可能である。そして、情報処理システム１には、指示装置１０および入出力装置２０がそれぞれ複数含まれ、複数の指示装置１０が複数の入出力装置２０を共有可能（指示装置１０が、所定の入出力装置２０と適宜コネクションを確立して情報の送受信が可能）となっている。
初めに、指示装置１０の機能構成について説明する。
指示装置１０は、指示ボタン１１と、ＣＰＵ（Ｃｅｎｔｒａｌ  Ｐｒｏｃｅｓｓｉｎｇ  Ｕｎｉｔ）１２と、ＲＯＭ（Ｒｅａｄ  Ｏｎｌｙ  Ｍｅｍｏｒｙ）１３と、ＲＡＭ（Ｒａｎｄｏｍ  Ａｃｃｅｓｓ  Ｍｅｍｏｒｙ）１４と、記憶ユニット１５と、通信ユニット１６とを含んで構成され、適宜、その他の入力手段を含むものである。
指示ボタン１１は、押しボタン式スイッチ等、ユーザによって操作可能なスイッチ機構を備えている。
ＣＰＵ１２は、指示装置１０全体を制御するもので、指示ボタン１１によって入力された信号や、通信ユニット１６から入力される各種の指示信号およびその他の入力手段からの入力信号に従って、ＲＯＭ１３あるいはＲＡＭ１４に記憶された各種処理に関するプログラムやデータを読み出し、各種処理を実行する。また、ＣＰＵ１２は、転送要求処理（後述）、手書きオブジェクト受信処理（後述）、手書きオブジェクト受信後処理（後述）およびメニューオブジェクト送信後処理（後述）の実行が指示された場合に、転送要求処理プログラム、手書きオブジェクト受信処理プログラム、手書きオブジェクト受信後処理プログラムおよびメニューオブジェクト送信後処理プログラムを実行する。そして、ＣＰＵ１２は、各種プログラムを実行した処理結果をＲＯＭ１３あるいはＲＡＭ１４に格納する。
ＲＯＭ１３は、例えばフラッシュＲＯＭ等の不揮発性のメモリ等によって構成され、転送要求処理プログラム、手書きオブジェクト受信処理プログラム、手書きオブジェクト受信後処理プログラムおよびメニューオブジェクト送信後処理プログラムを記憶している。
ＲＡＭ１４は、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等の揮発性メモリによって構成される。また、ＲＡＭ１４は、各種データを記憶するもので、ＣＰＵ１２により実行される各種処理において生成されたデータを一時的に格納する。
記憶ユニット１５は、着脱可能な記憶媒体を含む記憶装置あるいは固定的に指示装置１０に備えられた記憶装置であり、転送要求処理、手書きオブジェクト受信処理、手書きオブジェクト受信後処理、メニューオブジェクト送信後処理および指示装置１０の制御のための各種処理の処理結果を記憶する。
通信ユニット１６は、赤外線通信装置あるいはブルートゥース（Ｂｌｕｅｔｏｏｔｈ）といった無線通信装置、ＳＡＷ（Ｓｕｒｆａｃｅ  Ａｃｏｕｓｔｉｃ  Ｗａｖｅ）デバイスを発振源とした微弱無線装置（あるいは電気的接触による通信装置等）によって構成され、入出力装置２０との通信が可能である。
なお、指示装置１０の先端部分（以下、「ペン先」と言う。）は、入出力装置２０のタブレットユニット２１に接触することにより、入出力装置２０に情報を入力することが可能である。入力方法としては、感圧式、光線式（ペン先から光線を発し、その光をタブレットユニット２１が感知する）等が考えられる。したがって、入力方法に応じて、指示装置１０のペン先は所定の入力手段（発光手段等）を備えることとなる。
また、指示ボタン１１は、オブジェクトの選択完了等、ユーザからの付加的な指示入力手段として設けられている。
さらに、指示装置１０は、表示して確認する必要のない情報、例えば、音声や画像等については、音声入力装置あるいは画像入力装置等を備える構成としてもよい。
次に、入出力装置２０について説明する。
入出力装置２０は、タブレットユニット２１と、ＣＰＵ２２と、ＲＯＭ２３と、ＲＡＭ２４と、表示ユニット２５と、通信ユニット２６とを含んで構成され、適宜、その他の入力手段あるいはネットワークを介した通信手段を含むものである。
タブレットユニット２１は、指示装置１０のペン先が接触することによって情報が入力される入力装置である。また、タブレットユニット２１は、指示装置１０のペン先の接触によって入出力装置２０の電源をオンするための信号をＣＰＵ２２に出力する。さらに、タブレットユニット２１は、指示装置１０のペン先が接触することによって入力された情報をＣＰＵ２２、ＲＯＭ２３あるいはＲＡＭ２４等の各機能部に出力する。なお、タブレットユニット２１は、透明の材質によって構成され、下側に重ねて設けられた表示ユニット２５（後述）に表示された情報を透過する構成となっている。
ＣＰＵ２２は、入出力装置２０全体を制御するもので、タブレットユニット２１から出力された電源のオンのための信号や、通信ユニット２６から入力される各種の指示信号およびその他の入力手段からの入力信号に従って、ＲＯＭ２３あるいはＲＡＭ２４に記憶された各種処理に関するプログラムやデータを読み出し、各種処理を実行する。また、ＣＰＵ２２は、転送要求確認処理（後述）、手書きオブジェクト送信処理（後述）、手書きオブジェクト送信後処理（後述）およびメニューオブジェクト受信後処理（後述）の実行が指示された場合に、転送要求確認処理プログラム、手書きオブジェクト送信処理プログラム、手書きオブジェクト送信後処理プログラムおよびメニューオブジェクト受信後処理プログラムを実行する。そして、ＣＰＵ２２は、各種プログラムを実行した処理結果をＲＯＭ２３あるいはＲＡＭ２４に格納したり、表示ユニット２５に表示させたりする。なお、ＣＰＵ２２は、タブレットユニット２１から指示装置１０のペン先が一定時間離れたことを感知したり、指示装置１０による入力のタイムアップあるいはユーザの指示等、所定のタイミングで表示している情報を指示装置１０に送信する等の処理を行う。
ＲＯＭ２３は、例えばフラッシュＲＯＭ等の不揮発性のメモリ等によって構成され、転送要求確認処理プログラム、手書きオブジェクト送信処理プログラム、手書きオブジェクト送信後処理プログラムおよびメニューオブジェクト受信後処理プログラムを記憶している。
ＲＡＭ２４は、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等の揮発性メモリによって構成される。また、ＲＡＭ２４は、各種データを記憶するもので、ＣＰＵ２２により実行される各種処理において生成されたデータを一時的に格納する。
表示ユニット２５は、液晶表示装置等によって構成され、ＣＰＵ２２の指示に従って、ＲＯＭ２３あるいはＲＡＭ２４等に記憶された情報を表示する。なお、表示ユニット２５は、タブレットユニット２１と重ね合わせて設けられており、表示した情報は、透明な材質であるタブレットユニット２１を透過して、ユーザに認識される。そして、表示ユニット２５に表示された情報とタブレットユニット２１が感知する指示装置１０のペン先の接触位置とは、ＣＰＵ２２によって対応付けられて処理される。したがって、ユーザは、表示ユニット２５が表示した情報に指示装置１０のペン先を接触させることにより、その情報を選択あるいは編集等の処理を施すことができ、情報の処理が容易となる。
通信ユニット２６は、赤外線通信装置あるいはブルートゥース（Ｂｌｕｅｔｏｏｔｈ）といった無線通信装置、またはＳＡＷ（Ｓｕｒｆａｃｅ  Ａｃｏｕｓｔｉｃ  Ｗａｖｅ）デバイスを発振源とする微弱無線装置などによって構成され、指示装置１０との通信が可能である。
なお、入出力装置２０にキーボード、音声入力手段あるいは画像入力手段等を設け、入出力装置２０がオブジェクトの編集機能を有する構成とすることも可能である。
指示装置１０および入出力装置２０の上述の構成によって、ユーザが指示装置１０のペン先で入出力装置２０のタブレットユニット２１に文字等を書き込むことにより、入出力装置２０の表示ユニット２５に文字等が書き込まれる（図２参照）。
そして、入出力装置２０に書き込む等して表示された手書きオブジェクトは、指示装置１０によって表示ユニット２５上の所定範囲を選択することにより選択状態となり（図３参照）、選択された部分が入出力装置２０から指示装置１０に送信され、指示装置１０がその手書きオブジェクトを記憶する（図４参照）。なお、入出力装置２０に表示されているオブジェクトを全て指示装置１０に送信することとしてもよい。また、このような手書きによるオブジェクトは、ビットマップデータや、ストローク（ベクトル）データのまま扱ってもよいし、あるいは一般的に用いられる文字認識処理などを経て、認識結果であるテキストデータや整形された図形データにして扱ってもよい。この際、手書きオブジェクトを認識する処理は、入出力装置２０において実行してもよく、指示装置１０が受信した後に行うこととしてもよい。さらに、入出力装置２０から指示装置１０に送信されたオブジェクトは、入出力装置２０に残しておくことも削除することも可能である。このオブジェクトを削除するタイミングは、ユーザの指示やタイムアウト等、適切なタイミングで行われる。
このようにして、指示装置１０に記憶されたオブジェクトは、ユーザの指示によって指示装置１０から入出力装置２０に送信して取り出すことができる。即ち、ユーザが、例えば、オブジェクトを取り出して表示させたい入出力装置２０上の所定位置にペン先を接触させて指示ボタン１１を操作することにより、まず、指示装置１０内に記憶されているオブジェクトの一覧を表示するメニューオブジェクトが生成され、入出力装置２０に送信される。入出力装置２０では、指示装置１０のペン先が接触している位置に、メニューオブジェクトが表示される（図５参照）。
そして、表示されたメニューオブジェクトに指示装置１０のペン先で入力することにより、取り出そうとする手書きオブジェクトの選択が可能である（図６参照）。
このようにして、ユーザが選択した手書きオブジェクトが指示装置１０から入出力装置２０に送信され、表示ユニット２５上の、例えば、指示装置１０のペン先が接している位置等に所望の手書きオブジェクトが再生表示される（図７参照）。
次に、動作を説明する。
初めに、情報処理システム１全体の動作について説明する。
図８は、情報処理システム１全体の処理の一例を示すフローチャートである。図８において、初めに、入出力装置２０と指示装置１０との間の情報の転送を可能とするために、入出力装置２０および指示装置１０は、それぞれ転送要求処理または自装置からの転送要求がない場合には転送要求確認処理を実行する（ステップＳ１）。
次いで、入出力装置２０、指示装置１０は、それぞれ相手装置に対して情報の転送があるか否かの判定を行い（ステップＳ２）、情報の転送がないと判定した場合、指示装置１０のペン先が接触されることにより、種々のオブジェクトが入出力装置２０の表示ユニット２５上に新たに作成される（あるいは既存のオブジェクトが編集される。）（ステップＳ３）。そして、所定の時間間隔でステップＳ１の処理に移行する。
ステップＳ２において、装置間の情報の転送があると判定した場合、指示装置１０および入出力装置２０は、オブジェクトを転送するために、それぞれ手書きオブジェクト送信処理および手書きオブジェクト受信処理を実行する（ステップＳ４）。
次に、指示装置１０および入出力装置２０は、情報の転送が成功したか（正常に転送が行われたか）否かの判定を行い（ステップＳ５）、情報の転送が成功していないと判定した場合、指示装置１０および入出力装置２０は、所定のエラー処理（エラーメッセージの表示等）を行い（ステップＳ６）、ステップＳ１の処理に移行する。
また、ステップＳ５において、情報の転送が成功したと判定した場合、指示装置１０および入出力装置２０は、それぞれオブジェクト転送後処理を実行し（ステップＳ７）、ステップＳ１の処理に移行する。なお、オブジェクト転送後処理とは、指示装置１０および入出力装置２０のそれぞれが、オブジェクトを送信あるいは受信した後に行う処理一般を指すものである。したがって、オブジェクト転送後処理には、指示装置１０および入出力装置２０のそれぞれについて、オブジェクトの送信後および受信後に行う処理を含むものである。
指示装置１０および入出力装置２０は、上記処理を所定の時間間隔で繰り返す。
次に、図８に示すフローチャートにおいて、指示装置１０および入出力装置２０が実行する各種処理について説明する。以下の説明においては、まず、入出力装置２０からの転送要求に基づいて、入出力装置２０から指示装置１０に手書きオブジェクトを転送する場合を例に挙げて説明する。
まず、図８のステップＳ１において、入出力装置２０が実行する転送要求処理について説明する。図９は、入出力装置２０のＣＰＵ２２が実行する転送要求処理を示すフローチャートである。入出力装置２０から指示装置１０への転送要求処理は、入出力装置２０から転送するべきオブジェクトが存在する場合に実行される。
図９において、ＣＰＵ２２は、入出力装置２０の動作中に所定処理におけるタイムアウト（情報の転送指示の入力処理におけるタイムアウト等）あるいは指示装置１０によるユーザの指示等によって、入出力装置２０から指示装置１０へ情報の転送が要求されたか否かの判定を行う（ステップＳ１１）。
ステップＳ１１において、入出力装置２０から指示装置１０への情報の転送が要求されていないと判定した場合、ＣＰＵ２２は、転送する情報がないものとし（ステップＳ１２）、図８のステップＳ２の処理に移行する。
一方、ステップＳ１１において、入出力装置２０から指示装置１０への情報の転送が要求されていると判定した場合、ＣＰＵ２２は、指示装置１０にコネクションを確立するための要求を送信し（ステップＳ１３）、指示装置１０からの応答信号を待ってコネクションを確立する（ステップＳ１４）。
そして、ＣＰＵ２２は、転送する情報があるものとして（ステップＳ１５）、図８のステップＳ２の処理に移行する。
次に、図８のステップＳ１において、指示装置１０が実行する転送要求確認処理について説明する。図１０は、指示装置１０のＣＰＵ１２が実行する転送要求確認処理を示すフローチャートである。転送要求確認処理は、指示装置１０の動作中、所定間隔で繰り返し実行される。
図１０において、ＣＰＵ１２は、入出力装置２０からコネクションを確立するための要求を受信したか否かの判定を行い（ステップＳ２１）、入出力装置２０からコネクションを確立するための要求を受信していないと判定した場合、転送される情報がないものとして（ステップＳ２２）、図８のステップＳ２の処理に移行する。
一方、ステップＳ２１において、入出力装置２０からコネクションを確立するための要求を受信したと判定した場合、ＣＰＵ１２は、入出力装置２０にコネクションを確立するための応答信号を送信してコネクションを確立し（ステップＳ２３）、転送される情報があるものとして（ステップＳ２４）、図８のステップＳ２の処理に移行する。
なお、ステップＳ２２およびステップＳ２４において、転送される情報がない旨あるいは転送される情報がある旨を識別する方法は、図９の処理の場合と同様である。
次に、図８のステップＳ４において、入出力装置２０が実行する手書きオブジェクト送信処理について説明する。図１１は、入出力装置２０のＣＰＵ２２が実行する手書きオブジェクト送信処理を示すフローチャートである。手書きオブジェクト送信処理は、入出力装置２０のＣＰＵ２２が、指示装置１０に転送する情報があるとした場合（図９のステップＳ１５）に実行される。
図１１において、手書きオブジェクト送信処理が起動されると、ＣＰＵ２２は、転送する情報（オブジェクト）を指示装置１０との通信方式に応じた所定形式にコード化等を行い（ステップＳ３１）、所定の転送単位毎に指示装置１０に送信する（ステップＳ３２）。
次いで、ＣＰＵ２２は、転送する情報の送信が完了したか否かの判定を行い（ステップＳ３３）、転送する情報の送信が完了していないと判定した場合、ステップＳ３２の処理に移行し、完了したと判定した場合、図８のステップＳ５の処理に移行する。
次に、図８のステップＳ４において、指示装置１０が実行する手書きオブジェクト受信処理について説明する。図１２は、指示装置１０のＣＰＵ１２が実行する手書きオブジェクト受信処理を示すフローチャートである。手書きオブジェクト受信処理は、指示装置１０のＣＰＵ１２が、入出力装置２０から転送される情報があるとした場合（図１０のステップＳ２４）に実行される。
図１２において、手書きオブジェクト受信処理が起動されると、ＣＰＵ１２は、入出力装置２０から所定の転送単位毎に情報（コード化されたオブジェクト）を受信し（ステップＳ４１）、入出力装置２０からの情報の送信が完了したか否かの判定を行う（ステップＳ４２）。
ステップＳ４２において、入出力装置２０からの情報の送信が完了していないと判定した場合、ＣＰＵ１２は、ステップＳ４１の処理に移行し、入出力装置２０からの情報の送信が完了したと判定した場合、ＣＰＵ１２は、転送された情報をデコードし（ステップＳ４３）、図８のステップＳ５の処理に移行する。
次に、図８のステップＳ７において実行されるオブジェクト転送後処理のうち、入出力装置２０が手書きオブジェクトの送信後に実行する手書きオブジェクト送信後処理について説明する。図１３は、入出力装置２０のＣＰＵ２２が実行する手書きオブジェクト送信後処理を示すフローチャートである。手書きオブジェクト送信後処理は、入出力装置２０のＣＰＵ２２が、情報の転送に成功した（図１１のステップＳ３３において、情報の送信が完了した）と判定した場合に実行される。
図１３において、手書きオブジェクト送信後処理が起動されると、ＣＰＵ２２は、表示されている情報（オブジェクト）の表示継続のタイムアウトあるいは指示装置１０によるユーザの指示等によって、表示されている情報の消去が指示されたか否かの判定を行う（ステップＳ５１）。
ステップＳ５１において、タイムアウトでなく、表示されている情報の消去が指示されていないと判定した場合、ＣＰＵ２２は、図８のステップＳ１の処理に移行し、タイムアウトである、あるいは表示されている情報の消去が指示されたと判定した場合、ＣＰＵ２２は、転送済みの情報を消去し（ステップＳ５２）、図８のステップＳ１の処理に移行する。
次に、図８のステップＳ７において実行されるオブジェクト転送後処理のうち、入出力装置２０が手書きオブジェクトの受信後に指示装置１０が実行する手書きオブジェクト受信後処理について説明する。図１４は、指示装置１０のＣＰＵ１２が実行する手書きオブジェクト受信後処理を示すフローチャートである。手書きオブジェクト受信後処理は、指示装置１０のＣＰＵ１２が、入出力装置２０からの情報の転送が成功した（図１２のステップＳ４２において、入出力装置２０からの情報の送信が完了した）と判定した場合に実行される。
図１４において、手書きオブジェクト受信後処理が起動されると、ＣＰＵ１２は、受信した情報（オブジェクト）を記憶ユニット１５に記憶し（ステップＳ６１）、入出力装置２０から送信される手書きオブジェクト（タブレットユニット２１に書き込まれた手書き文字のデータ）を格納しているデータベース（手書き一覧データベース）を更新する（ステップＳ６２）。
次いで、ＣＰＵ１２は、入出力装置２０から受信した情報の記憶が完了した旨を示す情報を入出力装置２０に送信し（ステップＳ６３）、図８のステップＳ１の処理に移行する。なお、ステップＳ６３において送信される情報に、記憶ユニット１５の空き容量等、指示装置１０の機器状態を示す情報を含めて送信し、入出力装置２０がその機器状態を示す情報を表示することとしてもよい。
次に、指示装置１０から入出力装置２０に手書きオブジェクトを転送する場合について説明する。この場合、ステップＳ１およびステップＳ４の処理については、転送方向が逆であるものの、入出力装置２０から指示装置１０にオブジェクトを転送する場合の処理と基本的に同様であるため説明を省略し、以下、ステップＳ７において指示装置１０内に記憶された情報（オブジェクト）を入出力装置２０に送信した後の処理（メニューオブジェクト送信後処理およびメニューオブジェクト受信後処理）について説明する。
まず、指示装置１０が実行するメニューオブジェクト送信後処理について説明する。図１５は、指示装置１０のＣＰＵ１２が実行するメニューオブジェクト送信後処理を示すフローチャートである。メニューオブジェクト送信後処理は、指示装置１０から、ユーザの操作等により、指示装置１０内に記憶している情報（オブジェクト）が入出力装置２０に送信された後に実行される。
図１５において、メニューオブジェクト送信後処理が起動されると、ＣＰＵ１２は、入出力装置２０に送信した情報（オブジェクト）を記憶ユニット１５から削除し（ステップＳ７１）、動作を継続する。
次に、入出力装置２０が実行するメニューオブジェクト受信後処理について説明する。図１６は、入出力装置２０のＣＰＵ２２が実行するメニューオブジェクト受信後処理を示すフローチャートである。メニューオブジェクト受信後処理は、指示装置１０から入出力装置２０に情報（オブジェクト）が送信された後に実行される。
図１６において、メニューオブジェクト受信後処理が起動されると、ＣＰＵ２２は、ユーザによって指示された表示ユニット２５上の所定位置で受信したオブジェクトを実行（表示等）し（ステップＳ８１）、そのオブジェクトに対する操作が正常に完了したか否かの判定を行う（ステップＳ８２）。
ステップＳ８２において、実行中のオブジェクトに対する操作が正常に完了していないと判定した場合、ＣＰＵ２２は、ステップＳ８１の処理に移行し、実行中のオブジェクトに対する操作が正常に完了したと判定した場合、ＣＰＵ２２は、実行中のオブジェクトの操作が正常に完了した旨を示す情報を指示装置１０に送信し（ステップＳ８３）、動作を継続する。
なお、以上で説明したオブジェクト転送後処理は一例であり、上述のように、オブジェクトの種類毎に転送後処理は異なるのが一般的である。また、適用システム毎に好適な処理が異なることはもちろんである。例えば、入出力装置２０上に表示されるオブジェクトの転送時には、あたかも指示装置１０にオブジェクトが吸い込まれたり、吐き出されたりするように視認されるアニメーションを、入出力装置２０上で実行するなどが考えられる。このようにすれば、ユーザにとって動作がより直観的に理解でき、一段と愛着の湧くシステムを構成することができる。
さらにこれらの転送後処理は、それぞれの装置においてあらかじめオブジェクト種類毎に定義されていてもよいが、オブジェクト自体に処理手順が自己記述されているのでもよい。このようにすれば、未知のオブジェクトに対しても適切な処理を行わせることが出来るので、さらに汎用的なシステムを提供することが可能である。
以上のように、本発明を適用した情報処理システム１においては、ペン型の外形をなす指示装置１０と入出力装置２０との間で通信を行い、指示装置１０に記憶している情報を入出力装置２０に送信して表示すると共に、入出力装置２０に表示されている情報を指示装置１０に送信して記憶することができる。
したがって、指示装置１０は、表示装置を備える必要がなく、小型で携帯性に優れる携帯情報端末装置を構成することができる。また、入出力装置２０は、携帯性を考慮する必要が必ずしもないことから、小型から大型のものまで、種々の用途に応じた適切な機能の装置として実現することができる。
また、入出力装置２０は種々の施設に遍在され、１つの指示装置１０が複数の入出力装置２０と情報の送受信が可能である。
したがって、ユーザは指示装置１０を持ち運ぶことで、種々の施設（例えば、会社内におけるユーザのデスクと会議室、航空機や電車の座席等）において、記憶された情報を処理（表示や編集等）することができる。
また、指示装置１０を持ち運ぶことによって、ユーザは情報の管理を容易に行うことができ、情報のセキュリティを高めることができる。
なお、指示装置１０は、入力端子等を備えることにより、入出力装置２０以外の装置（例えば、パーソナルコンピュータや、他の携帯情報端末装置等）から情報の入力が可能な構成としてもよい。この場合、パーソナルコンピュータ等によって作成した情報を指示装置１０に記憶することができ、指示装置１０によって種々の情報を取り扱うことができる。
また、指示装置１０に記憶された情報を表示する装置として、入出力装置２０以外にも、情報の表示を専用に行う情報表示装置を本システムに含めることとしてもよい。
また、指示装置１０は、ペン型の形状を有することとして説明したが、ペン型以外であっても、携帯性に優れる形状であれば他の形状であってもよい。
さらに、本実施の形態においては、本システムに含まれる複数の指示装置１０および入出力装置２０は、それぞれの指示装置１０と入出力装置２０とが情報の送受信を可能とすることとして説明したが、特定の指示装置１０は特定の入出力装置２０とのみ情報の送受信が可能である構成としてもよい。
この場合、指示装置１０に記憶された情報のセキュリティが向上すると共に、指示装置１０および入出力装置２０を認証する機能を果たすことができる。
一方、指示装置１０は、オブジェクトを記憶し、簡単なファイル管理を行う機能のみ提供するものとすれば、ソフトウェアによる処理に限らず、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）のような大規模集積回路でハードウェア的に実現することも可能である。この場合、装置を一層小型化、高速化することができる。
なお、本発明の適用範囲は極めて広いものである。例えば、上述したように、入出力装置２０を航空機や電車等の座席あるいはホテルの部屋等に設置すれば、ユーザは、移動時にペン型の指示装置１０のみを携帯するだけで、必要な情報の記録や表示あるいは編集といった作業を行なうことができる。
また、公衆電話等に設置した場合には、咄嗟の場合にメモを取ることができ、従来のようにメモ用紙等を持ち歩くことなく、ペン型の指示装置１０に種々の情報を格納できて利便性が高まる。
また、喫茶店や食堂等のテーブルに設置した場合には、食事等をしながら友人等と情報（オブジェクト）の交換を行うことができる。その他にも、コンビニエンスストアや情報キオスク端末等に設置することにより、ほぼ常時、指示装置１０の内部に記憶されたオブジェクトの整理や出力等を行うことができるサービスを提供できる。
あるいは、会議室や講演会場等においては、入出力装置２０を座席に設置しておくことにより、メモを取ることができるのはもちろん、プレゼンテーション用の大型表示装置に本発明における情報表示装置の機能を備えておくことにより、指示装置１０に記憶されている情報を直接プレゼンテーションに利用でき、更に利便性が高まる。
また、入出力装置２０は、現在の携帯情報端末装置程度の大きさには容易に小型化できることから、このように入出力装置２０を構成した場合、カバン等に入れて携帯することも容易となる。したがって、移動中は、各交通機関に設置された入出力装置２０を使用し、移動先に入出力装置２０がない場合には、携帯している小型の入出力装置２０を使用するといった使用方法が可能となる。
さらに、指示装置１０は、どのような場所でも手軽に使用可能なものであることから、指示装置１０に所定内容のオブジェクトを記憶しておき、他の装置に転送して処理を行わせること等も可能である。例えば、指示装置１０に個人の嗜好データを記憶させておき、デパート等の電子案内板に本発明を適用しておくことにより、指示装置１０に記憶されている嗜好データに適合するように、ユーザを誘導することも可能である。
あるいは、指示装置１０に旅行のスケジュール情報を記憶しておき、旅先で切符や宿泊先の手配・変更等を簡便に行うシステムを構築することも容易となる。
加えて、インターネットのリソースを指定するＵＲＬ（Ｕｎｉｆｏｒｍ  Ｒｅｓｏｕｒｃｅ  Ｌｏｃａｔｏｒ）や、ＵＲＩ（Ｕｎｉｆｏｒｍ  Ｒｅｓｏｕｒｃｅ  Ｉｄｅｎｔｉｆｉｅｒｓ）が含まれたオブジェクトが指示装置１０から入出力装置２０に転送された場合、入出力装置２０が、そのリソースにアクセスする構成としておくことにより、指示装置１０が擬似的にそのリソースを記憶しているかのような振る舞いとすることができる。
なお、指示装置１０の機能は、他の機器に組み込んで構成することも可能である。例えば、携帯電話に組み込むことで、常時携帯するものを持ち運ぶのみでよいことから、より携帯に便利なものとなる。
一方、入出力装置２０は、現在利用されているペン型の入力装置とソフトウェア的に、あるいはハードウェアの付加等により、互換性を持たせることで、従来の入力装置によっても情報の入力を受け付けることができ、従来の入力装置を本発明に係る情報処理システム１の構成要素に取り入れることができる。したがって、本発明に係るシステムが容易に普及可能なものとなる。
産業上の利用の可能性
本発明は、入出力装置に入力して表示させた情報を指示装置あるいは携帯情報端末装置に送信して記憶することや、指示装置あるいは携帯情報端末装置が記憶あるいは生成した情報を入出力装置に送信して表示させることを可能とする。
また、指示装置あるいは携帯情報端末装置に記憶された情報を入出力装置に送信して表示させることを可能とする。
また、指示装置あるいは携帯情報端末装置に記憶されている情報を入出力装置に表示した状態で選択あるいは編集することを可能とする。
また、指示装置あるいは携帯情報端末装置に、入出力装置以外の装置から情報を入力し、指示装置あるいは携帯情報端末装置に記憶させて利用することを可能とする。
また、指示装置あるいは携帯情報端末装置に記憶された情報を表示のみ行う装置を提供できる。
また、指示装置あるいは携帯情報端末装置は小型であるため携帯して容易に持ち運ぶことができ、また、入出力装置に対する入力操作を行い易いものとする。
また、複数の指示装置と複数の入出力装置を含むシステムを構築し、任意の指示装置と入出力装置との間で情報を送受信して処理することを可能とする。即ち、ユーザは、自らの指示装置を携帯して持ち運ぶことにより、会社内、移動中、街中といった種々の場所で指示装置に記憶している情報を処理することが可能となり、利便性が高い遍在型の情報処理システムを構築することができる。
また、入出力装置は、外部機器と情報の送受信が可能であるため、指示装置あるいは携帯情報端末装置は、入出力装置を介して外部機器との情報の送受信を行うことが可能となる。
また、複数の指示装置あるいは携帯情報端末装置と、複数の入出力装置とを含むシステムにおいて、特定の指示装置あるいは携帯情報端末装置と、特定の入出力装置との間でのみ情報の送受信を可能とすることができるため、情報のセキュリティを向上させることを可能とすると共に、相互の装置を認証する機能を備えることを可能とする。
【図面の簡単な説明】
図１は情報処理システム１の構成を示す図である。図２は指示装置１０のペン先で入出力装置２０の表示ユニット２５に文字等が書き込まれる状態を示す図である。図３は指示装置１０によって表示ユニット２５上の所定範囲が選択された状態を示す図である。図４は指示装置１０が情報を記憶している状態を示す概念図である。図５は指示装置１０から送信されたオブジェクトが入出力装置２０に表示された状態を示す図である。図６は指示装置１０によって入出力装置２０に表示されたオブジェクトの選択・編集等が行われる状態を示す図である。図７は指示装置のペン先の位置に情報が表示される状態を示す図である。図８は情報処理システム１全体の処理の一例を示すフローチャートである。図９は入出力装置２０のＣＰＵ２２が実行する転送要求処理を示すフローチャートである。図１０は指示装置１０のＣＰＵ１２が実行する転送要求確認処理を示すフローチャートである。図１１は入出力装置２０のＣＰＵ２２が実行する手書きオブジェクト送信処理を示すフローチャートである。図１２は指示装置１０のＣＰＵ１２が実行する手書きオブジェクト受信処理を示すフローチャートである。図１３は入出力装置２０のＣＰＵ２２が実行する手書きオブジェクト送信後処理を示すフローチャートである。図１４は指示装置１０のＣＰＵ１２が実行する手書きオブジェクト受信後処理を示すフローチャートである。図１５は指示装置１０のＣＰＵ１２が実行するメニューオブジェクト送信後処理を示すフローチャートである。図１６は入出力装置２０のＣＰＵ２２が実行するメニューオブジェクト受信後処理を示すフローチャートである。
【図１】
2003019345.tif 000003
【図２】
2003019345.tif 000004
【図３】
2003019345.tif 000005
【図４】
2003019345.tif 000006
【図５】
2003019345.tif 000007
【図６】
2003019345.tif 000008
【図７】
2003019345.tif 000009
【図８】
2003019345.tif 000010
【図９】
2003019345.tif 000011
【図１０】
2003019345.tif 000012
【図１１】
2003019345.tif 000013
【図１２】
2003019345.tif 000014
【図１３】
2003019345.tif 000015
【図１４】
2003019345.tif 000016
【図１５】
2003019345.tif 000017
【図１６】
2003019345.tif 000018
【国際調査報告】
2003019345.tif 000019
2003019345.tif 000020
2003019345.tif 000021
2003019345.tif 000022